(57)【要約】【課題】搭乗者に開放感を与えることができるエレベーター用かごを提供する。【解決手段】壁１０、正面扉１１、天井、床１３及び当該正面扉１１に設けられたガラス製の透明部１９から構成されたエレベーター用かご１において、正面扉設置面１６以外の内側壁面１５に鏡１８が設けられている。【選択図】図２
0003163853.tif 000002
【実用新案登録請求の範囲】
【請求項１】
壁、正面扉、天井及び床を備えるエレベーター用かごにおいて、正面扉設置面以外の内側壁面に鏡面部が設けられている
ことを特徴とするエレベーター用かご。
【請求項２】
請求項１に記載のエレベーター用かごにおいて、
前記正面扉設置面以外の内側壁面全体に前記鏡面部が設けられている
ことを特徴とするエレベーター用かご。
【請求項３】
請求項１に記載のエレベーター用かごにおいて、
前記正面扉設置面以外の内側壁面の床側の一部を除いた全面に前記鏡面部が設けられている
ことを特徴とするエレベーター用かご。
【請求項４】
請求項１〜請求項３の何れか１項に記載のエレベーター用かごにおいて、
前記鏡面部がガラス製の鏡である
ことを特徴とするエレベーター用かご。
【請求項５】
請求項１〜請求項３の何れか１項に記載のエレベーター用かごにおいて、
前記鏡面部が鏡面加工された金属製の板である
ことを特徴とするエレベーター用かご。
【請求項６】
請求項１〜請求項５の何れか１項に記載のエレベーター用かごにおいて、
前記正面扉にガラス製の透明部が設けられている
ことを特徴とするエレベーター用かご。
【考案の詳細な説明】
【技術分野】
【０００１】
本考案は、エレベーター用かごに関し、特に、少人数用のエレベーター用かご内において、搭乗者に開放感を与えるのに有用なものである。
【背景技術】
【０００２】
従来より、壁によって箱状体を形成しているエレベーター用かごは、ビルや集合住宅などの建物内の移動手段とされている。そして、外部が視認できるエレベーター用かごもあるが、多くは外部が視認できないエレベーター用かごとなっている。この外部が視認できないエレベーター用かごは一切窓のない壁或いは、一部に防犯用の小さな窓のみを有する扉から構成されており、搭乗者に閉塞感を与えている。
【０００３】
壁により外部が視認できないエレベーター用かごには、正面扉に相対する壁面に操作盤付近を視認できるように平らな鏡が設置されているエレベーター用かご（例えば、特許文献１参照）や、天井角部に凸面鏡が設置されているエレベーター用かご（例えば、特許文献２参照）や、正面扉上部に鏡とカメラが設置されているエレベーター用かご（例えば、特許文献３参照）などがあるが、これらの鏡は防犯用として設置されている。
【０００４】
また、車椅子用のエレベーター用かごでは、車椅子を使用している搭乗者がエレベーター用かごの中で向きを変えることなく、エレベーター用かごに乗降できるように正面扉と相対する壁面の一部に平らな鏡が設置されている（例えば、特許文献４参照）。
【０００５】
しかしながら、これらのエレベーター用かごに設置された鏡は、防犯用や車椅子の乗降用として設置されているので、依然として搭乗者に閉塞感を与えていた。
【先行技術文献】
【特許文献】
【０００６】
【特許文献１】実開昭６１−２０３６７２号公報
【特許文献２】特開昭６３−１４７７９３号公報
【特許文献３】実開昭６０−９８８１号公報
【特許文献４】実開昭５８−１７６８７１号公報
【考案の概要】
【考案が解決しようとする課題】
【０００７】
本考案は、このような事情に鑑み、搭乗者に開放感を与えることができるエレベーター用かごを提供することを目的とする。
【課題を解決するための手段】
【０００８】
上記目的を達成するための本考案の第１の態様は、壁、正面扉、天井及び床を備えるエレベーター用かごにおいて、正面扉設置面以外の内側壁面に鏡面部が設けられていることを特徴とするエレベーター用かごにある。
【０００９】
本態様によれば、エレベーター用かごの正面扉設置面以外の内側壁面に設けられた鏡面部同士が互いを映し合うので、少人数用のエレベーター用かごにおいても、空間を広く見せることができ、更には無限大のパノラマ空間が広がったかのような開放感を搭乗者に与えることができる。また、エレベーター用かごが密室であることを悪用して、不意に背後から犯罪行為を行おうとする者がいても、搭乗者は内側壁面に設けられた鏡面部を見れば、背後を視認することができるので、犯罪行為を防止することができる。
【００１０】
そして、本考案の第２の態様は、第１の態様に記載のエレベーター用かごにおいて、前記正面扉設置面以外の内側壁面全体に前記鏡面部が設けられていることを特徴とするエレベーター用かごにある。
【００１１】
本態様によれば、正面扉設置面以外の内側壁面全体に隙間なく鏡面部が設けられているため、鏡面部に映し出される空間が繋がっているように見え、一層、無限大のパノラマ空間が広がったかのような開放感を搭乗者に与えることができる。
【００１２】
また、本考案の第３の態様は、第１の態様に記載のエレベーター用かごにおいて、前記正面扉設置面以外の内側壁面の床側の一部を除いた全面に前記鏡面部が設けられていることを特徴とするエレベーター用かごにある。
【００１３】
本態様によれば、正面扉設置面以外の内側壁面の床側の一部を除いた全面に隙間なく鏡面部が設けられているので、人の脚や車椅子、ベビーカー、買い物用カートなどが鏡面部にぶつかって、鏡面部が損傷することを回避することができる。
【００１４】
また、本考案の第４の態様は、第１〜第３の何れか１つの態様に記載のエレベーター用かごにおいて、前記鏡面部がガラス製の鏡であることを特徴とするエレベーター用かごにある。
【００１５】
本態様によれば、鏡面部がガラス製の鏡であるため、無限大のパノラマ空間が広がったかのようにエレベーター用かご内の様子がより鮮明に映し出され、より一層、搭乗者に開放感を与えることができる。
【００１６】
また、本考案の第５の態様は、第１〜第３の何れか１つの態様に記載のエレベーター用かごにおいて、前記鏡面部が鏡面加工された金属製の板であることを特徴とするエレベーター用かごにある。
【００１７】
本態様によれば、鏡面部が鏡面加工された金属製の板であるので、搭乗者に開放感を与えることができる。また、搭乗者が身に付けているものや車椅子、ベビーカー、買い物用カートなどが鏡面部にぶつかった場合でも、鏡面部が破損することがなく、飛散することもないため、安全性を確保することができる。
【００１８】
また、本考案の第６の態様は、第１〜第５の何れか１つの態様に記載のエレベーター用かごにおいて、前記正面扉にガラス製の透明部が設けられていることを特徴とするエレベーター用かごにある。
【００１９】
本態様によれば、正面扉にガラス製の透明部が設けられているので、エレベーター用かごが故障などにより中途で停止しても、透明部を通して内部から外部を視認できるため孤立感を深めることがない。また、密室を悪用した犯罪行為を防止することもできる。
【考案の効果】
【００２０】
本考案によれば、搭乗者に開放感を与えることができるエレベーター用かごが提供される。
【図面の簡単な説明】
【００２１】
【図１】本考案の一実施形態に係るエレベーター用かごの斜視図である。
【図２】図１の横断面図である。
【図３】本考案の一実施形態に係るエレベーター用かごの概略図である。
【図４】本考案の他の実施形態に係るエレベーター用かごの概略図である。
【考案を実施するための形態】
【００２２】
図１は本考案の一実施形態に係るエレベーター用かごの斜視図、図２は図１におけるエレベーター用かごの横断面図、図３は本考案の一実施形態に係るエレベーター用かごの概略図、図４は本考案の他の実施形態に係るエレベーター用かごの概略図である。
【００２３】
図１、図２に示すように、本考案のエレベーター用かご１は、壁１０及び正面扉１１、これらの上部に設けられた天井１２、底部に設けられた床１３から構成されている。壁１０は四面で構成されており、四面ある壁１０のうち、正面扉１１側を特に正面壁１４とする。そして、壁１０のエレベーター用かご１内側の壁面を内側壁面１５とし、正面壁１４のエレベーター用かご１内側の壁面を正面扉設置面１６とする。また、正面扉１１は戸袋１７に摺動自在に支持されている。さらに、正面扉設置面１６以外の内側壁面１５には、鏡１８（鏡面部）が設けられている。ここで、正面扉設置面１６以外の内側壁面１５に鏡１８が設けられているとは、正面扉設置面１６以外の全ての内側壁面１５に各鏡１８が互いに写し合うように配置されていることをいう。
【００２４】
そして、天井１２には照明（図示せず）、正面扉設置面１６には操作盤（図示せず）を有している。また、正面扉１１にはガラス製の透明部１９が設けられており、万が一、エレベーター用かご１が故障などにより中途で停止しても、透明部１９を通してエレベーター用かご１の内部から外部を視認できるため、孤立感を深めることはない。さらに、エレベーター用かご１の外部から内部を監視することもできるので、犯罪行為を防止することができる。
【００２５】
また、図２、図３に示すように、鏡１８はエレベーター用かご１の正面扉設置面１６以外の内側壁面１５全体に設けられている。これによって、外部と遮断された箱状体の空間で、閉塞感を感じ易いエレベーター用かご１内であっても、正面扉設置面１６以外の内側壁面１５に設けられた鏡１８同士が互いを映し合うため、空間を広く見せることができ、更には無限大のパノラマ空間が広がったかのような開放感を搭乗者に与えることができる。また、エレベーター用かご１が密室であることを悪用して、犯罪行為を行おうとする者がいても、搭乗者が内側壁面１５に設けられた鏡１８を見れば、搭乗者の背後を視認することができるので、不意な背後からの犯罪行為を防止することができる。
【００２６】
ここまで、エレベーター用かご１の正面扉設置面１６以外の内側壁面１５全体に鏡１８が設けられているとしてきたが、内側壁面１５全体に鏡１８が設けられていなくとも同様の効果を得ることができる。例えば、図４に示すように、鏡２０が床１３側の一部を除いた内側壁面１５全体、例えば、膝から上の内側壁面１５全体に設けられていても良い。この場合でも、目線の高さに鏡２０が設けられているので、上述の実施形態と同様の効果を得ることができる。また、人の脚や車椅子、ベビーカー、買い物用カートなどが鏡２０にぶつかって、鏡２０が損傷することを回避することができる。
【００２７】
また、内側壁面１５に設置された鏡１８或いは鏡２０はガラス製の鏡であったが、例えば、鏡面加工された金属製の板でもよい。この場合、上述の実施形態と同様の効果が得られるだけでなく、さらに、搭乗者が身に付けているものや車椅子、ベビーカー、買い物用カートなどがぶつかった場合でも鏡面部が破損することがなく、飛散することもないので、安全性を確保することができる。
【産業上の利用可能性】
【００２８】
本考案は、エレベーター用かごを使用する産業分野で利用することができる。
【符号の説明】
【００２９】
１            エレベーター用かご
１０          壁
１１          正面扉
１２          天井
１３          床
１４          正面壁
１５          内側壁面
１６          正面扉設置面
１７          戸袋
１８、２０    鏡
１９          透明部
【図１】
0003163853.tif 000003
【図２】
0003163853.tif 000004
【図３】
0003163853.tif 000005
【図４】
0003163853.tif 000006